(57)【特許請求の範囲】
【請求項１】
洗浄ノズルと、前記洗浄ノズルに向けて供給される水を流通させる主流路部と、前記主流路部から分岐すると共に捨て水を流通させる捨て水流路部と、を備える局部洗浄装置であって、
前記捨て水流路部は、上流側流路部と、前記上流側流路部を流通した水を流通させると共に水が流通する方向に直交する方向の断面積が前記上流側流路部の断面積よりも大きい下流側流路部と、を備え、
前記下流側流路部は、一端側が水を排出する排水口側に位置するように配置される本体部と、前記本体部の一端側に設けられる開放部と、前記本体部の他端側に設けられる閉鎖部と、前記上流側流路部を流通する水を前記閉鎖部に向かうように流出させる流出部と、を備え、
前記下流側流路部は、円筒状に形成される前記本体部としての円筒部と、前記円筒部の一端側に形成される前記開放部としての開口部と、前記円筒部の他端側に形成される前記閉鎖部としての壁部と、前記円筒部の途中の側部を貫通して設けられる前記流出部と、を有する局部洗浄装置。
【請求項２】
洗浄ノズルと、前記洗浄ノズルに向けて供給される水を流通させる主流路部と、前記主流路部から分岐すると共に捨て水を流通させる捨て水流路部と、を備える局部洗浄装置であって、
前記捨て水流路部は、上流側流路部と、前記上流側流路部を流通した水を流通させると共に水が流通する方向に直交する方向の断面積が前記上流側流路部の断面積よりも大きい下流側流路部と、を備え、
前記下流側流路部は、一端側が水を排出する排水口側に位置するように配置される本体部と、前記本体部の一端側に設けられる開放部と、前記本体部の他端側に設けられる閉鎖部と、前記上流側流路部を流通する水を前記閉鎖部に向かうように流出させる流出部と、を備え、
前記排水口が設けられたベースプレートを備え、
前記下流側流路部は、前記ベースプレート上において、水平に延びるように配置され、又は、前記本体部の一端側が下るように傾斜して延びるように配置され、
前記ベースプレートは、前記排水口の縁部に沿って形成され該ベースプレートの上面から上方に向けて突出する上方側リブ部を有する局部洗浄装置。
【請求項３】
洗浄ノズルと、前記洗浄ノズルに向けて供給される水を流通させる主流路部と、前記主流路部から分岐すると共に捨て水を流通させる捨て水流路部と、を備える局部洗浄装置であって、
前記捨て水流路部は、上流側流路部と、前記上流側流路部を流通した水を流通させると共に水が流通する方向に直交する方向の断面積が前記上流側流路部の断面積よりも大きい下流側流路部と、を備え、
前記下流側流路部は、一端側が水を排出する排水口側に位置するように配置される本体部と、前記本体部の一端側に設けられる開放部と、前記本体部の他端側に設けられる閉鎖部と、前記上流側流路部を流通する水を前記閉鎖部に向かうように流出させる流出部と、を備え、
前記本体部は、水平方向に延びるように形成され、
前記閉鎖部は、前記本体部の水平方向の端部に形成される端部壁部であり、
前記下流側流路部は、前記端部壁部である前記閉鎖部に向かうように前記流出部から流出される水が前記閉鎖部に衝突して進行方向が反転されて、前記閉鎖部に衝突した水が、前記本体部の水平方向において、前記閉鎖部とは反対方向に向かって流れるように構成される局部洗浄装置。
【請求項４】
前記流出部は、前記上流側流路部を流通する水を、前記閉鎖部に衝突して反転した水に衝突させるように前記閉鎖部に向けて流出させる請求項１〜３のいずれかに記載の局部洗浄装置。
【請求項５】
前記下流側流路部は、前記円筒部の内部側に突出し且つ前記円筒部の長さ方向に延びる延在リブ部を備える請求項１に記載の局部洗浄装置。
【請求項６】
前記ベースプレートは、便器の上部に配置されており、
前記ベースプレートは、前記便器の前後方向における前記排水口と前記便器との間において該ベースプレートの下面から下方に向けて突出する下方側リブ部を有する請求項２に記載の局部洗浄装置。
【発明の詳細な説明】
【技術分野】
【０００１】
本発明は、洗浄ノズルを有する局部洗浄装置に関する。
【背景技術】
【０００２】
従来、洗浄ノズルと、温水源から供給される水を洗浄ノズルに向けて流通させる主流路部と、主流路部から分岐すると共に捨て水を流通させる捨て水流路部と、捨て水流路部を流通される捨て水を一旦受け止めて受け止めた捨て水を便器に排出する排水口が設けられるベースプレートと、を備える局部洗浄装置が知られている（例えば、特許文献１参照）。
特許文献１に記載の局部洗浄装置は、貯湯タンクに過剰に水が供給されないように、貯湯タンクに余分に供給される余剰水を、捨て水として、捨て水流路を流通させて、ベースプレートを介して、便器内に排出する。
【０００３】
特許文献１に記載の局部洗浄装置においては、捨て水流路部を流通する捨て水を、ベースプレートの底部の上面に衝突させて、水の水圧を低減できるように構成される。また、ベースプレートの底部の上面から立ち上がるガイドリブや前面壁を設けることで、捨て水流路部から排出されて本体ケースの底部に衝突した水の前方又は斜め上方への飛散を低減できるように構成される。
【０００４】
ところで、局部洗浄装置において、温水の供給に関して、ヒータ付きの温水タンクを設けずに、温水がトイレルームの壁に引き回された温水配管から供給される場合がある。このような場合には、温水配管から局部洗浄装置までの距離が長くなりやすく、捨て水の水量も多くなりがちである。捨て水の水量が多い場合には、捨て水の水圧が高くなり、捨て水の勢いが強くなる傾向がある。
【先行技術文献】
【特許文献】
【０００５】
【特許文献１】特開平８−９３０３０号公報
【発明の概要】
【発明が解決しようとする課題】
【０００６】
特許文献１に記載の局部洗浄装置においては、捨て水流路部を流通する捨て水の水圧が高い場合には、ベースプレートの底部に水圧の高い捨て水が衝突するため、ベースプレートの底部から跳ね返る水の勢いが強く、前壁よりも上方まで水が飛散する可能性がある。
また、捨て水流路部を流通する捨て水をベースプレートを介さずに便器内に捨て水を直接排出する局部洗浄装置においては、捨て水流路部を流通する水の水圧が高い場合には、便器のボウル部に水圧の高い水が衝突するため、便器のボウル部から跳ね返る水の勢いが強く、水がおしりに跳ね返ってくることがある。
そのため、捨て水流路部から排出される捨て水の勢いを弱めることができる局部洗浄装置が望まれる。
【０００７】
本発明は、捨て水流路部から排出される捨て水の勢いを弱めることができる局部洗浄装置を提供することを目的とする。
【課題を解決するための手段】
【０００８】
本発明は、洗浄ノズル（例えば、後述の肛門洗浄用ノズル３１、ビデ洗浄用ノズル３２）と、前記洗浄ノズルに向けて供給される水を流通させる主流路部（例えば、後述の主流路部５１）と、前記主流路部から分岐すると共に捨て水を流通させる捨て水流路部（例えば、後述の捨て水流路部５２）と、を備える局部洗浄装置（例えば、後述の局部洗浄装置１０）であって、前記捨て水流路部は、上流側流路部（例えば、後述の第２上流側流路部５２２）と、前記上流側流路部を流通した水を流通させると共に水が流通する方向に直交する方向の断面積が前記上流側流路部の断面積よりも大きい下流側流路部（例えば、後述の捨て水受け部材５３）と、を備え、前記下流側流路部は、一端側が水を排出する排水口（例えば、後述の第２排水口６９１）側に位置するように配置される本体部（例えば、後述の円筒部５３１）と、前記本体部の一端側に設けられる開放部（例えば、後述の出口開口部５３３）と、前記本体部の他端側に設けられる閉鎖部（例えば、後述の端部壁部５３２）と、前記上流側流路部を流通する水を前記閉鎖部に向かうように流出させる流出部（例えば、後述の流出部５３４）と、を備える局部洗浄装置に関する。
【０００９】
また、前記流出部は、前記上流側流路部を流通する水を、前記閉鎖部に衝突して反転した水に衝突させるように前記閉鎖部に向けて流出させることが好ましい。
【００１０】
また、前記下流側流路部は、円筒状に形成される前記本体部としての円筒部（例えば、後述の円筒部５３１）と、前記円筒部の一端側に形成される前記開放部としての開口部（例えば、後述の出口開口部５３３）と、前記円筒部の他端側に形成される前記閉鎖部としての壁部（例えば、後述の端部壁部５３２）と、前記円筒部の途中の側部を貫通して設けられる前記流出部（例えば、後述の流出部５３４）と、を有することが好ましい。
【００１１】
また、前記下流側流路部は、前記円筒部の内部側に突出し且つ前記円筒部の長さ方向に延びる延在リブ部（例えば、後述の延在リブ部５３５）を備えることが好ましい。
【００１２】
また、前記排水口が設けられたベースプレートを備え、前記下流側流路部は、前記ベースプレート上において、水平に延びるように配置され、又は、前記本体部の一端側が下るように傾斜して延びるように配置されることが好ましい。
【００１３】
また、前記ベースプレートは、前記排水口の縁部に沿って形成され該ベースプレートの上面から上方に向けて突出する上方側リブ部（例えば、後述の上方側リブ部６９２）を有することが好ましい。
【００１４】
また、前記ベースプレートは、便器（例えば、後述の便器４）の上部に配置されており、前記ベースプレートは、前記便器の前後方向における前記排水口と前記便器との間において該ベースプレートの下面から下方に向けて突出する下方側リブ部（例えば、後述の第２下方側リブ部６９３）を有することが好ましい。
【発明の効果】
【００１５】
本発明によれば、捨て水流路部から排出される捨て水の勢いを弱めることができる局部洗浄装置を提供することができる。
【図面の簡単な説明】
【００１６】
【図１】本発明の一実施形態に係る局部洗浄装置１０を含む便器装置１を示す斜視図である。
【図２】本発明の一実施形態に係る局部洗浄装置１０の構成を示すブロック図である。
【図３】本発明の一実施形態に係る局部洗浄装置１０の要部を示す斜視図である。
【図４】図３をベースプレート６０の前方側から視た斜視図である。
【図５】図３をベースプレート６０の上方側から視た斜視図である。
【図６】ベースプレート６０における第２排水口６９１、上方側リブ部６９２及び第２下方側リブ部６９３の構成を示す断面図である。
【図７】捨て水受け部材５３を出口開口部５３３側から視た図である。
【図８】捨て水受け部材５３及びベースプレート６０において、捨て水の流れを説明する図である。
【発明を実施するための形態】
【００１７】
以下、本発明の局部洗浄装置１０を含む便器装置１の一実施形態について、図面を参照しながら説明する。なお、以下の説明においては、便器装置１の便座２に座った人から視た場合の前後の向きを前後方向とする。また、便器装置１の便座２に座った人から視た場合の左右の向きを左右方向とする。また、鉛直方向に沿った上下の向きを上下方向とする。
【００１８】
本実施形態の便器装置１は、図１に示すように、便座２と、便蓋３と、便器４と、本発明の局部洗浄装置１０と、給湯供給部５と、給水供給部６と、を備える。便座２及び便蓋３は、便器４の上方において、便器４に対して回動可能に取り付けられる。
【００１９】
本実施形態の局部洗浄装置１０は、例えば、ホテルの部屋などにおいて、壁に温水配管が引き回されたトイレルームに備えられる便器装置に設けられている。例えば、ホテルなどに設けられる便器装置において、消費電力を低減するために、局部洗浄装置にヒータ付きの温水タンクを備えずに、壁に引き回された温水配管から温水を供給するように構成する場合がある。なお、本発明は、ヒータ付きの温水タンクを備えた局部洗浄装置にも適用可能である。また、本発明は、温水タンクへの給水時において過剰給水を捨てる場合や、温水タンクに水を溜めずにヒータを通して温める瞬間加熱式の加温部に供給される過剰給水を捨てる場合にも適用可能である。
【００２０】
本実施形態においては、局部洗浄装置１０において使用される温水は、ホテルの部屋の壁などに引き回された温水配管（図示せず）に接続される給湯供給部５により供給される湯と、常温の水が流通する水道配管（図示せず）に接続される給水供給部６により供給される水とを混合することで作られる。
【００２１】
給湯供給部５は、給湯止水栓５ａと、給湯配管５ｂと、を有する。給湯供給部５は、トイレルームの壁部の温水配管（図示せず）に取り付けられる。給湯供給部５は、給湯機器（図示せず）により給湯されて温水配管（図示せず）を流通する湯を局部洗浄装置１０に供給する。
給水供給部６は、給水止水栓６ａと、給水配管６ｂと、を有する。給水供給部６は、トイレルームの壁部の水道配管（図示せず）に取り付けられる。給水供給部６は、水道配管（図示せず）を流通する常温の水を局部洗浄装置１０に供給する。
【００２２】
局部洗浄装置１０は、図１に示すように、便器４の後部の上方に配置される。
局部洗浄装置１０は、図１及び図２に示すように、温水混合部２０と、肛門洗浄用ノズル３１及びビデ洗浄用ノズル３２を有するノズルユニット３０と、メインバルブ部４１と、ノズル切替バルブ４２と、捨て水バルブ４３と、操作部４４と、給排水流路部５０と、ベースプレート６０と、カバー部材７１と、使用者が便座２に着座していることを検知する着座センサ（図示せず）と、を備える。
また、局部洗浄装置１０は、給排水流路部５０として、主流路部５１と、捨て水流路部５２と、を備える。
【００２３】
ベースプレート６０は、図１に示すように、便器４の上部に配置される。ベースプレート６０は、ベースプレート本体６１と、ベースプレート延出部６２と、を有する。
ベースプレート本体６１は、左右方向に延びるように形成される。ベースプレート本体６１の上部には、温水混合部２０、ノズルユニット３０と、メインバルブ部４１、ノズル切替バルブ４２、捨て水バルブ４３、給排水流路部５０などが配置される。
ベースプレート延出部６２は、ベースプレート６０の左右方向の一方側（図１における左側）において外側に延出し且つ前方側に延出するように形成される。ベースプレート延出部６２の上部には、後述する操作部４４が配置される。
【００２４】
ベースプレート６０には、後述する捨て水流路部５２を流通された捨て水が、捨て水流路部５２の捨て水受け部材５３から排出される。ベースプレート６０は、図３〜図５に示すように、前方側において、前面壁部６３と、左右方向において段差状に形成される底部６４を有する。ベースプレート６０の底部６４は、上段部６５と、下段部６６と、を有する。
【００２５】
上段部６５は、ベースプレート６０の前方側の端部におけるベースプレート６０の左右方向の他方側（図３〜図５における右側）において、左右方向に水平に延びる平面状に形成される。上段部６５には、後述する捨て水受け部材５３が取り付けられる。
【００２６】
下段部６６は、平面視で、上段部６５よりもベースプレート６０の左右方向の内側に、上段部６５に左右方向に並んで配置される。下段部６６は、上段部６５よりも下方に配置され、側壁６７を介して、上段部６５に接続されている。下段部６６は、第１下段傾斜部６８と、第２下段傾斜部６９と、を有する。下段部６６は、後述する捨て水受け部材５３から排出された捨て水を一旦受け止める。
【００２７】
第１下段傾斜部６８及び第２下段傾斜部６９は、図３〜図５に示すように、上段部６５側からベースプレート６０の左右方向の内側に向けて、この順に連続して配置されている。第１下段傾斜部６８は、第２下段傾斜部６９に向けて僅かに下る下り傾斜の面状に形成される。第１下段傾斜部６８の前方側の端部には、前面壁部６３が形成される。前面壁部６３は、ベースプレート６０における第１下段傾斜部６８の前方側の端部から、上方に立ち上がるように形成される。
【００２８】
第１下段傾斜部６８には、第１排水口６８１が形成される。第１排水口６８１は、下段部６６で受け止めた捨て水を、便器４のボウル部４ａ（図６参照）に排出する。第１排水口６８１は、図３〜図５に示すように、左右方向に延びる長穴状に形成され、第１下段傾斜部６８（ベースプレート６０の底部６４）を貫通する。
【００２９】
第１下段傾斜部６８の下面における第１排水口６８１の縁部には、図３〜図５に示すように、第１下方側リブ部６８２が形成される。第１下方側リブ部６８２は、第１排水口６８１における後方側の縁部において、第１下段傾斜部６８の下面から下方に突出すると共に、第１排水口６８１の後方側の縁部に沿って延びる。第１下方側リブ部６８２は、平面視において、ベースプレート６０の前方側が開放した略Ｕ字形状に形成される（図５参照）。
【００３０】
第２下段傾斜部６９は、第１下段傾斜部６８に連続して形成される。第２下段傾斜部６９は、ベースプレート６０の後方側から前方側に向かうにしたがって下る下り傾斜の平面状に形成される。第２下段傾斜部６９の前方側の端部は前方に向けて開放されている。
【００３１】
第２下段傾斜部６９には、第２排水口６９１が形成される。第２排水口６９１は、下段部６６で受け止めた捨て水を、便器４のボウル部４ａ（図６参照）に排出する。第２排水口６９１は、図３〜図５に示すように、第２下段傾斜部６９の前後方向の途中において、左右方向に延びる長穴状に形成され、第２下段傾斜部６９（ベースプレート６０の底部６４）を貫通する。第２排水口６９１は、第１排水口６８１よりもベースプレート６０の左右方向の内側に配置される。第２排水口６９１は、第１排水口６８１よりも左右方向の長さが長く形成されると共に、第１排水口６８１よりも前後方向の長さが短く形成される。
【００３２】
第２下段傾斜部６９の上面における第２排水口６９１の縁部には、上方側リブ部６９２が形成される。上方側リブ部６９２は、第２排水口６９１の前方側の縁部において、第２下段傾斜部６９の上面から上方に突出すると共に、第２排水口６９１の前方側の縁部に沿って左右方向に延びる。
【００３３】
第２下段傾斜部６９の下面における第２排水口６９１の縁部には、第２下方側リブ部６９３が形成される。第２下方側リブ部６９３は、第２排水口６９１の後方側の縁部において、第２下段傾斜部６９の下面から下方に突出すると共に、第２排水口６９１の後方側の縁部に沿って左右方向に延びる。
第２下方側リブ部６９３は、図６に示すように、ベースプレート６０が便器４の上部に配置される際に、便器４の前後方向における第２排水口６９１と便器４との間に配置される。
【００３４】
カバー部材７１は、図１に示すように、ベースプレート本体６１の上部に配置される局部洗浄装置１０の各部材の後方側の部分を覆うように、ベースプレート本体６１に取り付けられている。
【００３５】
操作部４４は、図１に示すように、ベースプレート延出部６２の上部に配置される。操作部４４は、流量調整部４５と、操作ボタン群４６と、を有する。
【００３６】
流量調整部４５は、肛門洗浄用ノズル３１及びビデ洗浄用ノズル３２から吐出される水の流量を調整する。流量調整部４５は、洗浄強さ調整ダイヤル４５１と、流量調整バルブ４５２と、を有する。洗浄強さ調整ダイヤル４４１は、肛門洗浄用ノズル３１及びビデ洗浄用ノズル３２から吐出される水の流量を回転操作により調整可能なダイヤルである。流量調整バルブ４４２は、洗浄強さ調整ダイヤル４４１により弁開度が調整されることで、肛門洗浄用ノズル３１及びビデ洗浄用ノズル３２から吐出される水の流量を調整可能なバルブである。
操作ボタン群４６は、肛門洗浄用ボタン、ビデ洗浄用ボタン、洗浄停止用ボタン等を備えている。操作ボタン群４６の各ボタンが操作されることで、洗浄動作の実行又は停止などが行われる。
【００３７】
肛門洗浄用ノズル３１及びビデ洗浄用ノズル３２は、主流路部５１を流通する温水を吐出する。肛門洗浄用ノズル３１及びビデ洗浄用ノズル３２は、図１に示すように、ベースプレート６０の上部に取り付けられている。肛門洗浄用ノズル３１及びビデ洗浄用ノズル３２の前側は、ベースプレート６０の前方側において、第２下段傾斜部６９（図３参照）から離間した状態で、第２下段傾斜部６９の上方に配置されている。肛門洗浄用ノズル３１及びビデ洗浄用ノズル３２は、先端側が、便器４側に突出するように配置される。
【００３８】
温水混合部２０は、図１に示すように、ベースプレート本体６１の上部に配置されている。温水混合部２０には、図１及び図２に示すように、給湯供給部５の給湯配管５ｂの下流側の端部が接続されると共に、給水供給部６の給水配管６ｂの下流側の端部が接続される。温水混合部２０においては、給湯供給部５から供給される湯と給水供給部６から供給される水とが、所定の温度の温水になるように混合される。
【００３９】
給排水流路部５０は、図１及び図２に示すように、主流路部５１と、捨て水流路部５２と、を備える。
主流路部５１は、図２に示すように、温水混合部２０から、肛門洗浄用ノズル３１又はビデ洗浄用ノズル３２までの流路である。主流路部５１は、肛門洗浄用ノズル３１及びビデ洗浄用ノズル３２に向けて供給される水を流通させる。主流路部５１は、図２に示すように、メインバルブ温水導入流路部５１１と、流量調整前温水流路部５１２と、流量調整後温水流路部５１３と、切替バルブ導入流路部５１４と、肛門洗浄側流路部５１５ａと、ビデ洗浄側流路部５１５ｂと、を有する。
【００４０】
主流路部５１を流通する水は、捨て水バルブ４３（後述）が閉状態である場合に、図２に示すように、温水混合部２０から肛門洗浄用ノズル３１又はビデ洗浄用ノズル３２までにおいて、上流側から下流側に順に、温水混合部２０から、メインバルブ温水導入流路部５１１を介して、メインバルブ部４１を通り、メインバルブ部４１から、流量調整前温水流路部５１２を介して、流量調整部４５に達する。流量調整部４５によって流量が調整された水は、流量調整部４５から、流量調整後温水流路部５１３を介して、メインバルブ部４１に戻り、メインバルブ部４１から、切替バルブ導入流路部５１４を介して、ノズル切替バルブ４２に達する。そして、メインバルブ部４１から供給された温水は、ノズル切替バルブ４２の切り替え状態に応じて、肛門洗浄側流路部５１５ａを介して肛門洗浄用ノズル３１に向けて流通され、又は、ビデ洗浄側流路部５１５ｂを介してビデ洗浄用ノズル３２に向けて流通される。
【００４１】
メインバルブ部４１には、温水混合部２０において混合された温水が、メインバルブ温水導入流路部５１１を介して供給される。メインバルブ部４１には、内部に、温度検知部（図示せず）が配置されている。温度検知部（図示せず）は、メインバルブ部４１の内部に供給された水の温度を検知する。
【００４２】
メインバルブ部４１の温度検知部（図示せず）においてメインバルブ部４１内の水の水温が適温であることが検知されると、後述する捨て水バルブ４３の電磁弁は閉状態となり、メインバルブ部４１の温度検知部（図示せず）においてメインバルブ部４１内の水の水温が適温でないことが検知されると、後述する捨て水バルブ４３の電磁弁は開状態となる。
【００４３】
本実施形態においては、メインバルブ部４１内の水の水温が適温であるとは、例えば、水の温度が所定範囲の温度であって、人が冷たいと感じない温度で且つ熱いと感じない温度の範囲にあることを意味する。メインバルブ部４１内の水の水温が適温でないとは、例えば、水の温度が所定値よりも低い温度であって、人が冷たいと感じる温度の範囲の温度を意味する。
本実施形態においては、水温が適温である場合に、温水は、肛門洗浄用ノズル３１及びビデ洗浄用ノズル３２から吐出されて使用される。水温が適温でない場合には、水は、捨て水として便器４に排出される。
【００４４】
後述する捨て水バルブ４３の電磁弁が閉状態である場合には、温水混合部２０からメインバルブ部４１に供給された温水は、流量調整部４５において流量が調整された後に、ノズル切替バルブ４２に供給される。後述する捨て水バルブ４３の電磁弁が開状態である場合には、メインバルブ部４１の水は、捨て水として、後述する捨て水流路部５２及び捨て水バルブ４３を介して、ベースプレート６０に排出され、ベースプレート６０を介して、便器４に排出される。
【００４５】
メインバルブ部４１には、図２に示すように、流量調整前温水流路部５１２及び流量調整後温水流路部５１３を介して、流量調整部４５が接続されている。流量調整部４５は、前述の通り、肛門洗浄用ノズル３１及びビデ洗浄用ノズル３２から吐出される水の流量を調整する。
温水混合部２０からメインバルブ部４１に供給された温水は、ノズル切替バルブ４２に供給される場合に、流量調整前温水流路部５１２を介して流量調整部４５に送出され、流量調整部４５により温水の流量が調整された後に、流量調整後温水流路部５１３を介して、メインバルブ部４１に戻り、メインバルブ部４１から、切替バルブ導入流路部５１４を介して、ノズル切替バルブ４２に供給される。
【００４６】
ノズル切替バルブ４２は、図２に示すように、メインバルブ部４１から排出され切替バルブ導入流路部５１４を流通する温水を、肛門洗浄用ノズル３１側に流通させるか、又は、ビデ洗浄用ノズル３２側に流通させるかを切り替えるバルブである。ノズル切替バルブ４２には、肛門洗浄側流路部５１５ａを介して、肛門洗浄用ノズル３１が接続されると共に、ビデ洗浄側流路部５１５ｂを介して、ビデ洗浄用ノズル３２が接続される。
【００４７】
捨て水流路部５２は、図２に示すように、メインバルブ部４１において、主流路部５１から分岐すると共に、メインバルブ部４１の内部を流れる適温でない水を捨て水として流通させる。捨て水流路部５２は、メインバルブ部４１から、後述する捨て水受け部材５３までの流路である。捨て水流路部５２は、図２に示すように、第１上流側捨て水流路部５２１と、上流側流路部としての第２上流側流路部５２２と、下流側流路部としての捨て水受け部材５３と、を有する。
【００４８】
捨て水流路部５２を流通する水は、捨て水バルブ４３（後述）が開状態である場合に、図２に示すように、メインバルブ部４１から捨て水受け部材５３までにおいて、上流側から下流側に順に、メインバルブ部４１から、第１上流側捨て水流路部５２１を介して、捨て水バルブ４３に向けて流通される。そして、捨て水バルブ４３に到達した捨て水は、捨て水バルブ４３から第２上流側流路部５２２に流通され、第２上流側流路部５２２から捨て水受け部材５３に流出（合流）される。
【００４９】
捨て水バルブ４３は、メインバルブ部４１の内部に配置される温度検知部によりメインバルブ部４１の内部を流れる水の水温が適温である場合に閉状態となり、メインバルブ部４１の内部に配置される温度検知部によりメインバルブ部４１の内部を流れる水の水温が適温でない場合に開状態となるように切り替わる。
【００５０】
捨て水受け部材５３は、図３〜図５に示すように、ベースプレート６０の上段部６５の上面に配置される。捨て水受け部材５３は、ベースプレート６０上において、左右方向に水平に延びるように配置され、ベースプレート６０に固定される。
【００５１】
捨て水受け部材５３は、図３〜図５に示すように、第２上流側流路部５２２の下流側の端部に接続される。捨て水受け部材５３には、第２上流側流路部５２２を流通された捨て水が捨て水受け部材５３の内部に流出される。捨て水受け部材５３は、第２上流側流路部５２２を流通された捨て水を、捨て水受け部材５３の内部を流通させた後に、ベースプレート６０に排出する。
【００５２】
捨て水受け部材５３は、図３〜図５に示すように、本体部としての円筒部５３１と、閉鎖部としての端部壁部（壁部）５３２と、開放部としての出口開口部（開口部）５３３と、流出部５３４と、延在リブ部５３５と、を有する。
【００５３】
円筒部５３１は、円筒状に形成され、水平方向に延びる。円筒部５３１は、一端（図３〜図５における左側の端部）側がベースプレート６０の第２排水口６９１側に位置するように、ベースプレート６０の上面に沿って延びて配置される。円筒部５３１における水が流通する方向に直交する方向の断面積Ｓ１は、図７に示すように、第２上流側流路部５２２における水が流通する方向に直交する方向の断面積Ｓ２よりも大きい（Ｓ１＞Ｓ２）。
端部壁部５３２は、円筒部５３１の他端（図３〜図５における右側の端部）側を塞ぐように、円筒部５３１の他端（図３〜図５における右側の端部）側に設けられる。
【００５４】
出口開口部５３３は、円筒部５３１の一端（図３〜図５における左側の端部）側に設けられる。出口開口部５３３からは、端部壁部５３２に衝突して跳ね返った水が、ベースプレート６０の第１排水口６８１及び第２排水口６９１に向けて排出される。
【００５５】
流出部５３４は、第２上流側流路部５２２を流通する水が円筒部５３１の内部に流出する部分である。流出部５３４には、第２上流側流路部５２２の下流側の端部が接続される。流出部５３４は、円筒部５３１の長さ方向の中央よりも出口開口部５３３寄り（円筒部５３１の長さ方向の途中）において、図７に示すように、円筒部５３１の軸方向に視た場合に、円筒部５３１の後方側の斜め上方の位置に配置される。流出部５３４は、第２上流側流路部５２２を流通する捨て水を、端部壁部５３２に向かうように、捨て水受け部材５３に流出させる。流出部５３４は、貫通穴５３４ａと、流出ガイド部５３４ｂと、を有する。
【００５６】
貫通穴５３４ａは、図３〜図５に示すように、円筒部５３１の長さ方向の途中において、円筒部５３１の後方側の斜め上方の側部を貫通する。
流出ガイド部５３４ｂは、貫通穴５３４ａの周縁において円筒部５３１の外面から外方に突出する円筒状に形成される。流出ガイド部５３４ｂは、端部壁部５３２側に向かうにしたがって、円筒部５３１の軸に近づくように傾斜する角度で、貫通穴５３４ａの周縁において円筒部５３１の外面から外方に突出するように形成される。
【００５７】
これにより、流出部５３４においては、第２上流側流路部５２２を流通する捨て水は、流出ガイド部５３４ｂにガイドされて円筒部５３１の軸に対して所定の角度を有した状態で、端部壁部５３２側に向かうように、貫通穴５３４ａから円筒部５３１の内部に導入される。そして、流出部５３４において捨て水受け部材５３に流出された捨て水は、端部壁部５３２に向かうように円筒部５３１の内周面に沿って旋回しながら、円筒部５３１の内部を流通する。
【００５８】
延在リブ部５３５は、板状に形成され、円筒部５３１の内部側に突出して形成される。延在リブ部５３５は、円筒部５３１の長さ方向に延びる。延在リブ部５３５は、図７に示すように、円筒部５３１の内部において、円筒部５３１の径方向において流出部５３４の貫通穴５３４ａに対向する位置に形成されている。延在リブ部５３５は、図４及び図５に示すように、円筒部５３１の左右方向において、円筒部５３１における出口開口部５３３から僅かに内部側に入った位置から端部壁部５３２の位置に亘って直線状に延びる。
【００５９】
次に、使用者が便座２に着座した場合において、局部洗浄装置１０により捨て水を便器４に排出する動作について説明する。
まず、使用者が便座２に着座すると、着座センサ（図示せず）から検知信号が出力されて、捨て水バルブ４３（図２参照）の電磁弁が開状態となる。これにより、給湯供給部５の給湯配管５ｂの内部の滞留水は、温水混合部２０及びメインバルブ部４１に到達する。
【００６０】
ここで、メインバルブ部４１内の温度検知部（図示せず）においてメインバルブ部４１の内部の水の水温が適温でないと検知された場合には、捨て水バルブ４３の電磁弁の開状態を維持して、給湯供給部５の給湯配管５ｂに滞留していた水が捨て水としてベースプレート６０を介して便器４に排出される。また、メインバルブ部４１内の温度検知部（図示せず）においてメインバルブ部４１の内部の水の水温が適温であると検知された場合には、捨て水バルブ４３の電磁弁が閉状態となり、捨て水の排出が停止される。
【００６１】
メインバルブ部４１内の温度検知部（図示せず）においてメインバルブ部４１の内部の水の水温が適温でないと検知された場合において、給湯供給部５の給湯配管５ｂの内部に滞留した滞留水は、捨て水として、メインバルブ部４１から、第１上流側捨て水流路部５２１を介して、捨て水バルブ４３に達し、水圧を有した状態で、図８に示すように、第２上流側流路部５２２から捨て水受け部材５３の流出部５３４に流出される。ここで、捨て水受け部材５３の円筒部５３１における水が流通する方向に直交する方向の断面積Ｓ１は、第２上流側流路部５２２の断面積Ｓ２よりも大きい（図７参照）。そのため、流出部５３４において、捨て水の水圧が大気開放される。これにより、捨て水の水圧を減少させることができる。
【００６２】
捨て水受け部材５３の流出部５３４において円筒部５３１の内部に流出した捨て水は、図８に示すように、円筒部５３１の内周面において、円筒部５３１の端部壁部５３２側に向かうように、円筒部５３１の内周面に沿って斜め方向に旋回して流れる。ここで。円筒部５３１の内周面に沿って斜め方向に旋回して流れる捨て水は、図８に示すように、円筒部５３１の内部において延在リブ部５３５に衝突し、円筒部５３１の長さ方向への流れに変換されて、端部壁部５３２に向かって流通する。これにより、延在リブ部５３５は、円筒状の円筒部５３１の内周面に沿って旋回して流れる捨て水の勢いを弱めて、円筒部５３１の軸方向に流れるようにガイドできる。これにより、捨て水を、円筒部５３１の径方向に広がることが低減された状態で、端部壁部５３２に向けてガイドできる。
【００６３】
そして、捨て水は、端部壁部５３２に衝突する。ここで、端部壁部５３２に衝突した捨て水は、進行方向が反転されて、円筒部５３１の左右方向において、端部壁部５３２とは反対方向の出口開口部５３３に向かって流れる。また、端部壁部５３２に衝突して反転した水は、流出部５３４から流出した水に衝突する。これにより、捨て水を、端部壁部５３２に衝突させると共に、端部壁部５３２に衝突して反転した水を流出部５３４から流出した水に衝突させることで勢いを弱めた状態で、捨て水受け部材５３の出口開口部５３３から排出させることができる。
【００６４】
捨て水受け部材５３の出口開口部５３３から排出された捨て水は、ベースプレート６０の上面に排出される。ここで、出口開口部５３３において、捨て水受け部材５３の円筒部５３１の内部から外部に捨て水が排出されることで、捨て水の水圧が大気開放される。これにより、流出部５３４において大気開放されて水圧が低減された捨て水の水圧を、更に、円筒部５３１の出口開口部５３３から排出して大気開放させることができる。これにより、捨て水の水圧を、一層減少させることができる。
【００６５】
ベースプレート６０の上面に排出された捨て水は、第１下段傾斜部６８を左右方向の他方側（図８における右側）から一方側（図８における左側）に向かって流れ、第１排水口６８１から便器４に排出される。
また、第１排水口６８１から排出しきれなかった捨て水は、第１下段傾斜部６８を通り、第２下段傾斜部６９に到達する。そして、捨て水は、第２下段傾斜部６９を前後方向の後方側から前方側に向かって流れ、第２排水口６９１から便器４に排出される。
【００６６】
ここで、第２排水口６９１における前方側の縁部には、上方側リブ部６９２が形成される。そのため、捨て水は、ベースプレート６０の前方側において、上方側リブ部６９２にせき止められて、第２排水口６９１から排出される。このため、第２排水口６９１の縁部において、捨て水がベースプレート６０の前方側へ溢れることを低減できる。
【００６７】
このようにして、メインバルブ部４１内の水の水温が適温でない場合に、給湯供給部５の給湯配管５ｂの内部に滞留した適温でない滞留水を、捨て水として、便器４に排出することができる。そして、捨て水を便器４に排出する際に、捨て水受け部材５３において、流出部５３４及び出口開口部５３３において捨て水の水圧を大気開放すると共に、端部壁部５３２に捨て水を衝突させ且つ端部壁部５３２に衝突して反転した水を流出部５３４から流出した水に衝突させることで、捨て水の勢いを弱めることができる。このため、捨て水の勢いを弱めた状態で、捨て水を、ベースプレート６０を介して、便器４に排出することができる。
これにより、捨て水の勢いを弱めた状態で、捨て水を、便器４のボウル部４ａ（図６参照）に排出できるため、捨て水が便器４のボウル部４ａから跳ね返ることを低減することができる。
【００６８】
次に、使用者が、肛門洗浄用ノズル３１又はビデ洗浄用ノズル３２で洗浄を行う場合の局部洗浄装置１０の動作について説明する。
使用者が便座２に着座した状態において、操作ボタン群４６の肛門洗浄用ボタン又はビデ洗浄用ボタンを押すと、ノズル切替バルブ４２の電磁弁が切り替わり、押された肛門洗浄用ボタン又はビデ洗浄用ボタンに対応する肛門洗浄用ノズル３１又はビデ洗浄用ノズル３２への流路が開状態となる。
【００６９】
ここで、前述の通り、メインバルブ部４１内の温度検知部（図示せず）において水の水温が適温でないと検知された場合には、給湯供給部５の給湯配管５ｂに滞留していた水が捨て水としてベースプレート６０を介して便器４に排出される。また、メインバルブ部４１内の温度検知部（図示せず）において水の水温が適温であると検知された場合には、捨て水バルブ４３の電磁弁が閉状態となり、捨て水の排出が停止される。
【００７０】
メインバルブ部４１内の温度検知部（図示せず）において水温が適温であると検知されて捨て水の排出が停止されると、メインバルブ部４１内の温水は、流量調整部４５に送られて、流量が調整される。流量調整部４５において流量が調整された温水は、メインバルブ部４１に戻されて、ノズル切替バルブ４２に流出される。そして、温水は、ノズル切替バルブ４２において切り替えられた流路を介して、肛門洗浄用ノズル３１又はビデ洗浄用ノズル３２に達する。肛門洗浄用ノズル３１又はビデ洗浄用ノズル３２に達した温水は、温水の水圧によりノズルを押し出して、噴出穴（図示せず）から温水を吐出する。このようにして、使用者は、肛門洗浄用ノズル３１又はビデ洗浄用ノズル３２で洗浄を行うことができる。
【００７１】
以上説明した本実施形態の局部洗浄装置１０によれば、以下のような効果を奏する。
【００７２】
本実施形態の局部洗浄装置１０は、肛門洗浄用ノズル３１又はビデ洗浄用ノズル３２に向けて供給される水を流通させる主流路部５１と、主流路部５１から分岐すると共に捨て水を流通させる捨て水流路部５２と、を備える局部洗浄装置１０であって、捨て水流路部５２は、第２上流側流路部５２２と、第２上流側流路部５２２を流通した水を流通させると共に水が流通する方向に直交する方向の断面積が第２上流側流路部５２２の断面積よりも大きい捨て水受け部材５３と、を備え、捨て水受け部材５３は、一端側が水を排出する第２排水口６９１側に位置するように配置される円筒部５３１と、円筒部５３１の一端側に設けられる出口開口部５３３と、円筒部５３１の他端側に設けられる端部壁部５３２と、第２上流側流路部５２２を流通する水を端部壁部５３２に向かうように流出させる流出部５３４と、を備える。
【００７３】
そのため、捨て水を端部壁部５３２に衝突させて捨て水の進行方向を反転させた後に、捨て水を出口開口部５３３から第２排水口６９１側に排出できる。これにより、捨て水を端部壁部５３２に衝突させることで、捨て水の勢いを弱めることができる。従って、便器４に排出された捨て水が便器４から跳ね返ることを低減できる。
【００７４】
また、流出部５３４は、第２上流側流路部５２２を流通する水を、端部壁部５３２に衝突して反転した水に衝突させるように、端部壁部５３２に向けて流出させる。これにより、端部壁部５３２に捨て水を衝突させ且つ端部壁部５３２に衝突して反転した水を流出部５３４から流出した水に衝突させることで、捨て水の勢いを弱めることができる。
【００７５】
また、捨て水受け部材５３は、水が流通する方向に直交する方向の断面積Ｓ１が第２上流側流路部５２２の断面積Ｓ２よりも大きい。これにより、第２上流側流路部５２２から捨て水受け部材５３に流入される捨て水の水圧は、第２上流側流路部５２２から捨て水受け部材５３に流入する際に、流出部５３４において大気開放される。これにより、捨て水の水圧が低減される。更に、捨て水受け部材５３の出口開口部５３３から排出される捨て水の水圧は、出口開口部５３３から捨て水受け部材５３の外部に排出される際に、出口開口部５３３において大気開放される。
よって、流出部５３４において捨て水の水圧を大気開放すると共に、出口開口部５３３において流出部５３４において大気開放された捨て水の水圧を大気開放することができる。これにより、捨て水の水圧を低減することで、捨て水の勢いを弱めることができる。従って、便器４に排出された捨て水が便器４から跳ね返ることを低減できる。
【００７６】
また、本実施形態の局部洗浄装置１０においては、捨て水受け部材５３は、円筒状に形成される円筒部５３１と、円筒部５３１の一端側に形成される出口開口部５３３と、円筒部の他端側に形成される端部壁部５３２と、円筒部５３１の途中の側部を貫通して設けられる流出部５３４と、を有する。そのため、捨て水は、円筒状の円筒部５３１の内周面に沿って流通する。これにより、捨て水受け部材５３に流出した捨て水を、円筒部５３１の内周面に沿って流通させることができるため、例えば、角形状の筒で形成された場合よりも、捨て水の乱流を抑制できる。
【００７７】
本実施形態の局部洗浄装置１０においては、円筒部５３１は、円筒部５３１の内部側に突出し且つ円筒部５３１の長さ方向に延びる延在リブ部５３５を備える。そのため、延在リブ部５３５は、円筒状の円筒部５３１の内周面に沿って旋回して流れる捨て水の勢いを弱めて、円筒部５３１の軸方向に流れるようにガイドできる。これにより、捨て水が円筒部５３１の径方向に広がることを低減できる。従って、捨て水が出口開口部５３３から排出される際に、円筒部５３１の径方向に広がることが低減されるため、捨て水の飛散を低減できる。
【００７８】
本実施形態の局部洗浄装置１０においては、捨て水受け部材５３は、ベースプレート６０上において、水平に延びるように配置される。これにより、捨て水受け部材５３の円筒部５３１の内部において捨て水の流通方向が反転する本発明において、捨て水が流出部５３４から端部壁部５３２に向かう方向へ流通する場合においても、捨て水が端部壁部５３２から出口開口部５３３に向かう方向へ流通する場合においても、捨て水をスムーズに流通させることができる。
【００７９】
本実施形態の局部洗浄装置１０においては、ベースプレート６０は、第２排水口６９１の縁部に沿って形成され、ベースプレート６０の上面から上方に向けて突出する上方側リブ部６９２を有する。そのため、上方側リブ部６９２は、第２排水口６９１に向かって流れる捨て水は、上方側リブ部６９２にせき止められた状態で、上方側リブ部６９２にガイドされ、第２排水口６９１から排出される。このため、捨て水が第２排水口６９１の縁部において、ベースプレート６０から溢れることを低減できる。
【００８０】
本実施形態の局部洗浄装置１０においては、ベースプレート６０は、便器４の上部に配置されており、ベースプレート６０は、便器４の前後方向における第２排水口６９１と便器４との間においてベースプレート６０の下面から下方に向けて突出する第２下方側リブ部６９３を有する。そのため、便器４の上部にベースプレート６０を配置する際に、第２下方側リブ部６９３を便器４の前方側に配置することで、第２排水口６９１が便器４に乗り上げることを防止できる。また、便器４の上部にベースプレート６０が配置された状態において、第２下方側リブ部６９３により便器４の上面側がガードされるため、第２排水口６９１から排出される水が、便器４の上面とベースプレート６０との間に入り込むことを低減できる。
【００８１】
以上、本発明の局部洗浄装置１０の好ましい一実施形態について説明したが、本発明は、上述した実施形態に制限されるものではなく、適宜変更が可能である。
例えば、前記実施形態では、捨て水受け部材５３を、ベースプレート６０上において、水平に延びるように配置したが、これに限定されない。捨て水受け部材５３を、ベースプレート６０上において、第２排水口６９１側の一端側が下るように傾斜して延びるように配置してもよい。これにより、捨て水受け部材５３の端部壁部５３２に衝突させて反転させた捨て水を、ベースプレート６０の第２排水口６９１側にスムーズに流通させることができる。
【００８２】
また、前記実施形態では、捨て水受け部材５３を円筒状に形成したが、これに限定されない。例えば、捨て水受け部材を角筒状に形成してもよいし、捨て水受け部材を上方側が開放した半円筒状に形成してもよい。また、捨て水受け部材は、筒状に限定されない。例えば、捨て水受け部材を、ベースプレート上において仕切板で仕切った流路により構成してもよい。
【００８３】
また、前記実施形態においては、捨て水受け部材５３の流出部５３４を、円筒部５３１の後方側の斜め上方の位置に配置したが、これに限定されない。例えば、捨て水受け部材５３の流出部５３４を、円筒部５３１の真上の位置に配置してもよいし、円筒部５３１の真横の位置に配置してもよい。
【００８４】
また、前記実施形態では、捨て水受け部材５３の流出部５３４を、円筒部５３１の長さ方向の途中に設けたが、これに限定されない。例えば、捨て水受け部材５３の流出部５３４を、円筒部５３１の一端の出口開口部５３３に設けてもよい。
【００８５】
また、前記実施形態においては、捨て水流路部５２から排出された水を一旦受け止めるベースプレートを備える構成としたが、これに限定されない。例えば、捨て水受け部材５３（下流側流路部）から排出された水を、ベースプレート６０の第２排水口６９１に直接流れるように構成してもよいし、ベースプレートを備えずに、捨て水受け部材５３に排水管などの排水口を連結することで、捨て水受け部材５３（下流側流路部）から排出された水を、排水管などの排水口に直接流れるように構成してもよい。
【符号の説明】
【００８６】
１  便器装置
４  便器
１０  局部洗浄装置
２０  温水混合部（温水源）
３１  肛門洗浄用ノズル（洗浄ノズル）
３２  ビデ洗浄用ノズル（洗浄ノズル）
５１  主流路部
５２  捨て水流路部
５３  捨て水受け部材（下流側流路部）
６０  ベースプレート
５２２  第２上流側流路部（上流側流路部）
５３１  円筒部（本体部）
５３２  端部壁部（閉鎖部、壁部）
５３３  出口開口部（開放部、開口部）
５３４  流出部
５３５  延在リブ部
６９１  第２排水口（排水口）
６９２  上方側リブ部
６９３  第２下方側リブ部（下方側リブ部）
【図１】
0006715611.tif 000002
【図２】
0006715611.tif 000003
【図３】
0006715611.tif 000004
【図４】
0006715611.tif 000005
【図５】
0006715611.tif 000006
【図６】
0006715611.tif 000007
【図７】
0006715611.tif 000008
【図８】
0006715611.tif 000009